(57)【特許請求の範囲】
【請求項１】
光源からの光を反射するリフレクターの光出射口近傍に着脱されるオプションを保持するためのオプション保持構造において、
前記オプションの周端部における一方の面に当接する第１挟持部と、
外周面におねじ部を有する円筒状に形成されるとともに、端部に前記第１挟持部との間で前記オプションの前記周端部を挟持し得る第２挟持部を有するホルダと、
前記おねじ部が螺合するめねじ部と、を備え、
前記ホルダは、前記第２挟持部が前記第１挟持部との間で前記周端部を挟持する場合、及び前記第２挟持部が前記第１挟持部との間で前記周端部を挟持しないで前記第１挟持部に当接される場合に、前記めねじ部を覆う、
ことを特徴とするオプション保持構造。
【請求項２】
前記めねじ部及び前記第１挟持部は、前記リフレクターを収納するボディに形成されている、
ことを特徴とする請求項１に記載のオプション保持構造。
【請求項３】
前記めねじ部及び前記第１挟持部は、前記リフレクターの前記光出射口に取り付けられる筒状のフードに形成されている、
ことを特徴とする請求項１に記載のオプション保持構造。
【請求項４】
前記めねじ部は、前記リフレクターを収納するボディに形成され、
前記第１挟持部は、前記リフレクターの前記光出射口に取り付けられるコーンに形成されている、
ことを特徴とする請求項１に記載のオプション保持構造。
【請求項５】
前記ホルダは、
前記おねじ部と前記第２挟持部との間に位置する部分の外径が、前記めねじ部の内径よりも小さく形成されている、
ことを特徴とする請求項１ないし４のいずれか１項に記載のオプション保持構造。
【請求項６】
前記ホルダは、
内周面にローレット加工部を有している、
ことを特徴とする請求項１ないし５のいずれか１項に記載のオプション保持構造。
【請求項７】
光源と、
前記光源からの光を反射させて光出射口から出射するリフレクターと、
請求項１ないし請求項６のいずれか１項に記載のオプション保持構造と、を備えた、
ことを特徴とする照明器具。
【発明の詳細な説明】
【技術分野】
【０００１】
本発明は、レンズ、フィルタ、ルーバー等のオプションを保持するためのオプション保持構造及びこれを備えた照明器具に関する。
【背景技術】
【０００２】
照明装置において、光源から出た光を、レンズやフィルタ等のオプションを通過させた後に出射するものが知られている（例えば、特許文献１参照）。
【０００３】
このものは、ＬＥＤモジュール（光源）と、ＬＥＤモジュールを収納するとともに開口部を有する本体ケースと、開口部に装着されるカバー（フード）とを有している。
【０００４】
カバーは、その内周面に周溝（リング溝）が形成されていて、この周溝に弾性変形可能なスナップリングを係合させることで、カバーの内側に円板状のレンズを保持している。
【先行技術文献】
【特許文献】
【０００５】
【特許文献１】特開２０１４−１０７１３４号公報
【発明の概要】
【発明が解決しようとする課題】
【０００６】
ところで、一般に、フードの内面のリング溝にスナップリングを係合させることでレンズを保持する場合、リング溝に係合させたスナップリングの内周側を少し、フードの内周面から突出させる必要がある。この突出部分とフードの一部とによって、レンズの周端部をその表裏両面から挟持するためである。このため、この突出部分に光源からの光が当たってグレアが発生するという問題があった。
【０００７】
また、スナップリングを係合させるためのリング溝を、フード側にあらかじめ形成しておく必要がある。このため、厚さの異なるレンズや複数枚のレンズを重ねて保持することができないという問題があった。
【０００８】
本発明は、上述した事情に鑑みてなされたものであり、スナップリングを使用した場合の反射光による反射グレアを防止するとともに、オプションの厚さや枚数に柔軟に対応することができるオプション保持構造、及びこれを備えた照明器具を提供することを目的とする。
【課題を解決するための手段】
【０００９】
請求項１に係る発明は、光源からの光を反射するリフレクターの光出射口近傍に着脱されるオプションを保持するためのオプション保持構造において、前記オプションの周端部における一方の面に当接する第１挟持部と、外周面におねじ部を有する円筒状に形成されるとともに、端部に前記第１挟持部との間で前記オプションの前記周端部を挟持し得る第２挟持部を有するホルダと、前記おねじ部が螺合するめねじ部と、を備え、前記ホルダは、前記第２挟持部が前記第１挟持部との間で前記周端部を挟持する場合、及び前記第２挟持部が前記第１挟持部との間で前記周端部を挟持しないで前記第１挟持部に当接される場合に、前記めねじ部を覆う、ことを特徴とする。
【００１０】
請求項２に係る発明は、請求項１に係るオプション保持構造において、前記めねじ部及び前記第１挟持部は、前記リフレクターを収納するボディに形成されている、ことを特徴とする。
【００１１】
請求項３に係る発明は、請求項１に係るオプション保持構造において、前記めねじ部及び前記第１挟持部は、前記リフレクターの前記光出射口に取り付けられる筒状のフードに形成されている、ことを特徴とする。
【００１２】
請求項４に係る発明は、請求項１に係るオプション保持構造において、前記めねじ部は、前記リフレクターを収納するボディに形成され、前記第１挟持部は、前記リフレクターの前記光出射口に取り付けられるコーンに形成されている、ことを特徴とする。
【００１４】
請求項５に係る発明は、請求項１ないし４のいずれか１項に記載のオプション保持構造において、前記ホルダは、前記おねじ部と前記第２挟持部との間に位置する部分の外径が、前記めねじ部の内径よりも小さく形成されている、ことを特徴とする。
【００１５】
請求項６に係る発明は、請求項１ないし５のいずれか１項に係るオプション保持構造において、前記ホルダは、内周面にローレット加工部を有している、ことを特徴とする。
【００１６】
請求項７に係る発明は、照明器具において、光源と、前記光源からの光を反射させて光出射口から出射するリフレクターと、請求項１ないし請求項６のいずれか１項に係るオプション保持構造と、を備えた、ことを特徴とする。
【発明の効果】
【００１７】
請求項１の発明によれば、光源からの光を反射するリフレクターの光出射口近傍に着脱されるオプションを保持するためのオプション保持構造において、オプションの周端部における一方の面に当接する第１挟持部と、外周面におねじ部を有する円筒状に形成されるとともに、端部に第１挟持部との間でオプションの周端部を挟持し得る第２挟持部を有するホルダと、おねじ部が螺合するめねじ部と、を備える。
【００１８】
このように、オプション保持構造は、第１挟持部とホルダの第２挟持部との間でオプションを挟持することにより、スナップリングを使用する場合と異なり、光がスナップリングで反射されることで発生する反射グレアを防止することができる。
【００１９】
また、スナップリングを使用する場合には、このスナップリングが係合される環状のリング溝を設けるため、このリング溝の位置によってオプションの周端部の厚さが制約を受ける。逆にいうと、オプションの周端部の厚さによって、リング溝の位置が決まってしまう。このため、スナップリングを使用する場合には、周端部の厚さが異なるオプション、あるいは複数のオプションを重ねて保持することが困難である。これに対し、請求項１の発明では、ホルダは、めねじ部に対するホルダのおねじ部のねじ込み量を任意に調整することが可能であるので、周端部の厚さが異なるオプション、あるいは複数のオプションを重ねて保持することができる。
さらに、請求項１の発明によれば、第２挟持部が第１挟持部との間でオプションの周端部を挟持する場合、及び第２挟持部が第１挟持部との間でオプションの周端部を挟持しないで第１挟持部に当接される場合の、双方の場合について、ホルダはめねじ部を覆う。つまり、ホルダは、オプションの装着の有無にかかわらず、めねじ部を覆うことになる。
これにより、ホルダは、オプションの装着の有無にかかわらず、光源あるいはリフレクターからの光がめねじ部に当たることを防止して、めねじ部による反射グレアを防止することができる。
【００２０】
請求項２の発明によれば、めねじ部及び第１挟持部は、リフレクターを収納するボディに形成されている。
【００２１】
この場合には、例えば、ボディの下方にその他のパーツ（コーンやフード等）を装着したいときに、これらの他のパーツは、オプション保持構造の構成や配置による制約が少ない。このため、例えば、円錐状のコーン等、円筒状以外のパーツを備えた照明器具を構成することができる。
【００２２】
請求項３の発明によれば、めねじ部及び第１挟持部は、リフレクターの光出射口に取り付けられる筒状のフードに形成されている。
【００２３】
この場合には、例えば、ボディに対してフードを着脱可能に構成すれば、オプションの種類や枚数を変更したいときに、オプションを簡単に交換することができる。
【００２４】
請求項４の発明によれば、めねじ部は、リフレクターを収納するボディに形成され、第１挟持部は、リフレクターの光出射口に取り付けられるコーンに形成されている。
【００２５】
このように、めねじ部と第１挟持部とをそれぞれ別の部材の形成した場合であっても、請求項１の効果を奏することができる。さらに、第１挟持部をボディではなく、コーンに形成することにより、コーンと比較して構造が複雑になりがちなボディの構造を簡略化してその製造を容易にすることができる。
【００２８】
請求項５の発明によれば、ホルダは、おねじ部と第２挟持部との間に位置する部分の外径が、めねじ部の内径よりも小さく形成されている。
【００２９】
これにより、ホルダは、めねじ部に対するおねじ部の螺合を開始する前に、その外径が小さく形成されている部分をめねじ部の内側に挿入して、その分、速やかに第２挟持部をオプションの周端部の他方の面に近づけることができる。すなわち、第２挟持部を周端部の他方の面に近づける動作を、めねじ部におねじ部を螺合させる動作から、挿入動作に変更することができるので、その分、第２挟持部による挟持開始までの時間を短縮することができる。
【００３０】
請求項６の発明によれば、ホルダは、内周面にローレット加工部を有している。
【００３１】
これにより、ホルダは、内周面の反射グレアを低減することができる。
【００３２】
請求項７の発明によれば、照明器具は、光源と、光源からの光を反射させて光出射口から出射するリフレクターと、請求項１ないし請求項６のいずれか１項に係るオプション保持構造と、を備えている。
【００３３】
これにより、照明器具は、全体として、上述のオプション保持構造の効果を奏することができる。
【図面の簡単な説明】
【００３４】
【図１】図１〜図１３は実施形態１を説明する図であり、図１は照明器具１の分解斜視図である。
【図２】中心軸Ｃ１を通る平面で切った照明器具１の断面図、及び部分拡大図である。
【図３】フード６０を斜め上方から見た斜視図である。
【図４】図３中のＡ−Ａ線矢視拡大図である。
【図５】（Ａ）〜（Ｅ）はホルダ（オプションホルダ）７０を説明する図であり、このうち（Ａ）は正面図、（Ｂ）は平面図、（Ｃ）は右側面図、（Ｄ）は（Ｂ）中のＡ−Ａ線矢視図、（Ｅ）は斜め下方から見た斜視図である。
【図６】ホルダ７０を斜め上方から見た斜視図である。
【図７】図６中のＡ−Ａ線矢視拡大図である。
【図８】（Ａ）〜（Ｅ）はホルダ７０を説明する図であり、このうち（Ａ）は斜め上方から見た斜視図、（Ｂ）は（Ａ）中の部分拡大図、（Ｃ）は背面図、（Ｄ）は平面図、（Ｅ）は（Ｄ）中のＡ−Ａ線矢視拡大図である。
【図９】フード６０の内側にホルダ７０を装着した状態を説明する、中心軸Ｃ１を通る平面で切った断面図である。
【図１０】フード６０の第１挟持部６２ｄとホルダ７０の第２挟持部７３ａとの間でオプションＯＰの周端部Ｐを挟持するようすを説明する断面図である。
【図１１】（Ａ）は保護ガラスＧ、及びフィルタＦが装着されていない場合を示し、（Ｂ）は保護ガラスＧが１枚装着された場合を示し、（Ｃ）はフィルタＦが１枚装着された場合を示し、（Ｄ）は保護ガラスＧが１枚、フィルタＦが１枚装着された場合を示す断面図である。
【図１２】（Ａ）はフィルタＦが２枚装着されている場合を示し、（Ｂ）は保護ガラスＧが１枚、フィルタＦが２枚装着された場合を示し、（Ｃ）はシャープナーＳＨが１個装着された場合を示し、（Ｄ）は保護ガラスＧが１枚、シャープナーＳＨが１個装着された場合を示す断面図である。
【図１３】（Ａ）〜（Ｅ）はホルダ７０Ａを説明する図であり、このうち（Ａ）は正面図、（Ｂ）は平面図、（Ｃ）は右側面図、（Ｄ）は（Ｂ）中のＡ−Ａ線矢視図、（Ｅ）は斜め下方から見た斜視図である。
【図１４】（Ａ）は実施形態２の照明器具２を、中心軸Ｃ１を通る平面で切った断面図であり、（Ｂ）はオプション保持構造ＯＳ２を説明する、（Ａ）中の部分Ｂの拡大図である。
【図１５】実施形態３のオプション保持構造ＯＳ３を説明する、図１４（Ｂ）に相当する図である。
【発明を実施するための形態】
【００３５】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
【００３６】
＜実施形態１＞
図１〜図１３を参照して、本発明を適用した実施形態１に係るオプション保持構造ＯＳ１、及びこれを備えた照明器具１について説明する。なお、以下では、説明の便宜上、図１、図２中の左上に矢印で示す「上下左右」がオプション保持構造ＯＳ１、照明器具１等の上下左右に対応するものとして説明するが、この限りではない。これによると、照明器具１の中心軸Ｃ１は、上下方向を向いていることになる。
【００３７】
図１、図２を参照して、照明器具１について説明する。
【００３８】
ここで、図１は、照明器具１を斜め上方から見た分解斜視図である。また、図２は、中心軸Ｃ１を通る平面で切った照明器具１の断面図である。
【００３９】
本実施形態のオプション保持構造ＯＳ１は、後に図９を参照して詳述するように、第１挟持部６２ｄと、外周面におねじ部７２ａを有し、端部に第２挟持部７３ａを有するホルダ７０と、おねじ部７２ａが螺合するめねじ部６２ａとを備えている。さらに、めねじ部６２ａ及び第１挟持部６２ｄは、双方ともフード６０に形成されている。
【００４０】
照明器具１は、ソケット１０、光源２０、ボディ３０、リフレクター４０、及びフード６０を備えている。これらは、中心軸Ｃ１を基準として形成され、また、配置されている。
【００４１】
このうち、ソケット１０は、円筒状の外壁１１、この外壁１１の内側に配設されたヒートシンク１２、及びヒートシンク１２と外壁１１との間に放射状に配設された多数の放熱フィン１３を有している。ヒートシンク１２の下面は、平坦に形成されていて光源取付面１２ａとなっている。
【００４２】
光源２０は、光源取付面１２ａに取り付けられている。光源２０としては、例えば、ＣＯＢチップオンボード型（ＣＯＢタイプ）の面状光源を使用することができる。
【００４３】
ボディ３０は、ほぼ円筒状に形成されていて、その上端部が、上述のソケット１０の下端部に固定されている。
【００４４】
リフレクター４０は、例えば、放物線の一部を、中心軸Ｃ１を基準として回転させた回転体状に形成されている。リフレクター４０は、内側が反射面４０ａとなっていて、上端には光源２０に対向した光入射口（開口部）４０ｂが形成され、また、下端には下方を向いた光出射口（開口部）４０ｃが形成されている。リフレクター４０は、上端側がソケット１０の内側に収納され、残りの下端側がボディ３０の内側に収納されている。リフレクター４０は、光源２０から出て光入射口４０ｂから入射された光を、そのまま直接光として、あるいは反射面４０ａで反射させて制御し、反射光として光出射口４０ｃから出射させる。
【００４５】
上述の図１、図２に加え、図３〜図１２を参照して、オプション保持構造ＯＳ１について説明する。
【００４６】
このうち、図３、図４は、フード６０を説明する図であり、図３は斜め上方から見た斜視図、図４は図３中のＡ−Ａ線矢視拡大図である。
【００４７】
図２に示すように、フード６０は、ほぼ円筒状に形成されている。このフード６０の内側には、ほぼ円筒状のホルダ（オプションホルダ）７０が配設されている。
【００４８】
オプション保持構造ＯＳ１は、めねじ部６２ａ及び第１挟持部６２ｄを有するフード６０と、おねじ部７２ａ及び第２挟持部７３ａを有するホルダ７０とを備えている。
【００４９】
フード６０は、図２、図３、図４に示すように、リフレクター４０の光出射口４０ｃに取り付けられている。フード６０は、外周面ａについては凹凸がなく滑らかに形成されているのに対し、内周面ｂは、内側に向かって凹凸に形成されている。
【００５０】
ここで、フード６０を、上下方向に沿って、大きく３つに分けて上から順に上部６１、中間部６２、下部６３とする。上部６１及び下部６３は、比較的、肉厚の薄い円筒状に形成され、残りの中間部６２は比較的、肉厚の厚い円筒状に形成されている。
【００５１】
上部６１は、内周面ｂ１に、上述のボディ３０の下端部に係合して取付を可能にする係合部６１ａ、及びセーフティワイヤ（落下防止ワイヤ）の端部が連結される連結部６１ｂが突設されている。内周面ｂ１は、これら係合部６１ａ及び連結部６１ｂを除くと、比較的凹凸が少ない形状となっている。
【００５２】
中間部６２の内周面ｂ２には、上から順に、めねじ部６２ａ、逃げ部６２ｂ、リング溝６２ｃ、及び第１挟持部６２ｄが形成されている。
【００５３】
このうち、めねじ部６２ａは、谷の径が上部６１の内周面ｂ１の内径よりも小さく設定されている。つまり、めねじ部６２ａは、ねじ山が内周面ｂ１よりも内側に突出するように形成されている。めねじ部６２ａは、例えば、５〜６ピッチ分形成されている。
【００５４】
逃げ部６２ｂは、めねじ部６２ａを加工するためのものであり、めねじ部６２ａの下側に隣接して設けられている。逃げ部６２ｂの内径は、めねじ部６２ａの谷の径よりも少し大きく設定され、また、逃げ部６２ｂの高さ（中心軸Ｃ１に沿った方向の寸法）は、後述するホルダ７０のおねじ部７２ａをめねじ部６２ａに螺合させてねじ込んだ際に、おねじ部７２ａが１ピッチ分程度進入し得るように設定されている。
【００５５】
リング溝６２ｃは、壁部６２ｅを介して、逃げ部６２ｂの下側に隣接している。壁部６２ｅの内径は、逃げ部６２ｂの内径よりも小さく、めねじ部６２ａの内径ｄｎと同じとなっている。リング溝６２ｃは、中間部６２の内周面ｂ２の全周にわたって形成されていて、その内径は、めねじ部６２ａの内径ｄｎよりも少し大きく設定されている。このリング溝６２ｃは、後述するオプションＯＰとしての保護ガラスＧを装着するためのスナップリング（止め輪）Ｒが係合される溝である。
【００５６】
第１挟持部６２ｄは、リング溝６２ｃから、保護ガラスＧの厚さに対応する長さだけ下側に形成されており、内周面ｂ２の全周にわたって中心軸Ｃ１に向かって突設されている。第１挟持部６２ｄの上面６２ｆ、つまりオプションＯＰの周端部Ｐ（図１０参照）の下面（一方の面）Ｐ１に接触する面は、全周にわたって平らに形成されている。上面６２ｆの内径は、めねじ部６２ａの内径ｄｎよりも小さく設定されている。これにより、第１挟持部６２ｄは、この上面６２ｆによって、オプションＯＰの周端部Ｐの下面Ｐ１を下方から支持することができる。第１挟持部６２ｄの下面６２ｇは、下側ほど内径が大きくなるテーパ面状に形成されている。これにより、上述の光源２０からの直接光あるいは光源２０から出てリフレクター４０によって反射された反射光が当たることを防止している。
【００５７】
下部６３は、その内周面ｂ３にバッフル加工部６３ａを有している。上方からこのバッフル加工部６３ａに当たった光は、下方に落ちることなく、上方に戻される。
【００５８】
つづいて、図５〜図８を参照して、上述のフード６０に装着されるホルダ（オプションホルダ）７０について説明する。
【００５９】
ここで、図５（Ａ）〜（Ｅ）はホルダ（オプションホルダ）７０を説明する図であり、このうち（Ａ）は正面図、（Ｂ）は平面図、（Ｃ）は右側面図、（Ｄ）は（Ｂ）中のＡ−Ａ線矢視図、（Ｅ）は斜め下方から見た斜視図である。
【００６０】
また、図６は、ホルダ７０を斜め上方から見た斜視図である。
【００６１】
また、図７は、図６中のＡ−Ａ線矢視拡大図である。
【００６２】
また、図８（Ａ）〜（Ｅ）はホルダ７０を説明する図であり、このうち（Ａ）は斜め上方から見た斜視図、（Ｂ）は（Ａ）中の部分拡大図、（Ｃ）は背面図、（Ｄ）は平面図、（Ｅ）は（Ｄ）中のＡ−Ａ線矢視拡大図である。
【００６３】
ホルダ７０は、図５〜図７に示すように、全体として、ほぼ円筒状に形成されている。ホルダ７０の内周面ｃは、ローレット加工部７０ａとなっている。このローレット加工部７０ａは、上下方向を向いた（中心軸Ｃ１とほぼ平行な）凸条及び凹状が、周方向に沿って交互に多数配設されている。  ここで、ホルダ７０を、中心軸Ｃ１に沿って、大きく３つに分けて上から順に上部７１、中間部７２、下部７３（おねじ部７２ａと第２挟持部７３ａとの間に位置する部分）とする。上部７１及び下部７３は、比較的、肉厚の薄い円筒状に形成され、残りの中間部７２は比較的、肉厚の厚い円筒状に形成されている。
【００６４】
上部７１の上端面には、ほぼ全周にわたって鋸歯状部７１ａが形成されている。この鋸歯状部７１ａは、上述のローレット加工部７０ａに連続していて、ローレット加工部７０ａを横向きにしたような形状に形成されている。この鋸歯状部７１ａは、光を拡散させるためのものである。
【００６５】
図８に示すように、上部７１の上端面における２箇所、つまり、中心軸Ｃ１を基準として、１８０度隔たった位置のそれぞれに、鋸歯状部７１ａを中断するようにして係合溝７１ｂが設けてある。この係合溝７１ｂは、ホルダ７０を回転させるための工具（不図示）を係合するための溝である。すなわち、上述のフード６０に対してホルダ７０を螺合したり螺合を解除したりする際には、ホルダ７０をねじ込み方向あるいはその逆方向に回転させる必要があるが、塗装の癒着等により手回しが困難な場合がある。このような場合、係合溝７１ｂに工具を係合させて、この工具により、ホルダ７０を回すようにしている。
【００６６】
係合溝７１ｂは、上部７１における上端部の内側と外側とを連通するように形成されていて、底面ｅと、相互に対向する一対の側面ｆとを有している。これら底面ｅ、側面ｆにおける外側に位置する部分は、テーパ処理が施されて、傾斜面ｅ１、ｆ１となっている。傾斜面ｅ１は、図８（Ｅ）に示すように、例えば、外側に向かって４５度下方に傾斜する傾斜面となっている。一方、傾斜面ｆ１，ｆ１は、図８（Ｄ）に示すように、例えば、相互に９８度の角度をもって外側に広がる傾斜面となっている。このように係合溝７１ｂに傾斜面ｅ１，ｆ１を設ける理由は、底面ｅ、側面ｆとして、工具を引っかけるために最低限の面を確保し、残りを傾斜面ｅ１，ｆ１とすることで、反射光を拡散するためである。
【００６７】
図５〜図７に示すように、中間部７２における外周面ｄ２には、おねじ部７２ａが形成（螺刻）されている。このおねじ部７２ａは、その谷の径が、上部７１及び下部７３の外周面ｄ１，ｄ３の外径よりも少し大きくなるように設定されている。すなわち、おねじ部７２ａのねじ山は、上部７１及び下部７３の外周面ｄ１，ｄ３に対して外側に突出するように形成されている。本実施形態では、おねじ部７２ａは、３ピッチ分程度形成されている。ホルダ７０は、おねじ部７２ａのこの３ピッチ分がすべて、上述のフード６０のめねじ部６２ａに螺合している場合には、安定した姿勢を保持することができる。
【００６８】
下部７３の下端部は、上述のフード６０の第１挟持部６２ｄとの間に、オプションＯＰの周端部Ｐを挟持する第２挟持部７３ａとなっている。この第２挟持部７３ａの下端面７３ｂは、オプションＯＰの周端部Ｐの上面（他方の面）Ｐ２を押圧する面であり、全周にわたって平らに形成されている。
【００６９】
下部７３は、その外周面ｄ３の外径ｄｍ（図７参照）が、上述のフード６０のめねじ部６２ａの内径ｄｎ（図４参照）及び壁部６２ｅの内径よりも小さく設定されている（ｄｍ＜ｄｎ）。このため、フード６０のめねじ部６２ａに対して、上方からホルダ７０のおねじ部７２ａの螺合を開始する前に、下部７３をめねじ部６２ａの内側に挿入して、その分、下端面７３ｂをオプションＯＰに近接させることができる。これにより、オプションＯＰの挟持を速やかに行うことが可能となる。
【００７０】
下部７３の外周面ｄ３における下端には、全周にわたって環状切欠７３ｃが形成されている。この環状切欠７３ｃは、後述するように保護ガラスＧを固定するスナップリングＲとの干渉を防止するためのものである。
【００７１】
図９は、上述のフード６０の内側に上述のホルダ７０を装着した（ねじ込んだ）状態を説明する、中心軸Ｃ１を通る平面で切った断面図である。この状態は、保護ガラスＧもオプションＯＰも装着しないで、フード６０のめねじ部６２ａに対して、ホルダ７０のおねじ部７２ａをねじ込んで、ホルダ７０の第２挟持部７３ａの下端面７３ｂをフード６０の第１挟持部６２ｄの上面６２ｆに直接、接触（当接）させた状態である。
【００７２】
ここで、図９に示すように、ホルダ７０の上下方向の高さ、すなわち、ホルダ７０における第２挟持部７３ａ（の下端面７３ｂ）から鋸歯状部７１ａ（の上端）までの高さ（距離）をＸとし、また、フード６０における第１挟持部６２ｄ（の上面６２ｆ）からめねじ部６２ａの上面６２ｈまでの高さ（距離）をＹとする。さらに、めねじ部６２ａのピッチをピッチＮとする。
【００７３】
図９に示す例では、これらＸ，Ｙ，Ｎは、これらの間に、
Ｘ＝Ｙ−Ｎ／２
の関係が成り立つように設定されている。
【００７４】
すなわち、ホルダ７０は、この状態において、鋸歯状部７１ａの上端が、フード６０のめねじ部６２ａの上面６２ｈよりも下方（図示例では、Ｎ／２ピッチ分ほど下方）に位置しているため、めねじ部６２ａは、Ｎ／２ピッチ分ほど露出されてしまう。この場合、光源２０からの光、あるいは光源２０から出てリフレクター４０で反射された光は、この露出部分に当たって反射グレアを発生させるおそれがある。
【００７５】
そこで、本実施形態では、ホルダ７０の高さＸ´を高さＹよりも大きく設定し（二点鎖線参照）、ホルダ７０によって、めねじ部６２ａを覆うようにした。これにより、オプションＯＰがある場合はもちろん、オプションＯＰがない場合でも、ホルダ７０によってめねじ部６２ａを覆って、めねじ部６２ａの一部が露出することに起因する反射グレアを有効に防止することが可能となる。
【００７６】
なお、上述の図５等に示すホルダ７０に代えて、図１３に示すホルダ７０Ａを使用してもよい。
【００７７】
ここで、図１３（Ａ）〜（Ｅ）はホルダ７０Ａを説明する図であり、このうち（Ａ）は正面図、（Ｂ）は平面図、（Ｃ）は右側面図、（Ｄ）は（Ｂ）中のＡ−Ａ線矢視図、（Ｅ）は斜め下方から見た斜視図である。
【００７８】
このホルダ７０Ａは、ホルダ７０と同様、ほぼ円筒状に形成されている。ホルダ７０Ａとホルダ７０は、それぞれの内周面に設けられたローレット加工部７０ａ´，７０ａの形状が異なり、それ以外の構成は、同様である。
【００７９】
すなわち、ホルダ７０のローレット加工部７０ａは、上述のように、中心軸Ｃ１と平行な凸条及び凹状が、周方向に沿って交互に多数形成されている。これに対し、ホルダ７０Ａのローレット加工部７０ａ´は、周方向に沿った環状の凸部及び凹部が、上下方向に沿って交互に多数形成されている。このローレット加工部７０ａ´は、例えば、図４に示すバッフル加工部６３ａと同じ形状とすることができる。
【００８０】
このローレット加工部７０ａ´によると、ローレット加工部７０ａと比較して、上方からローレット加工部７０ａに当たった光をより多く上方に戻すことができるので、ホルダ７０Ａの下端から下方に出て行く、制御されない光の量を低減することができる。
【００８１】
図１０〜図１２を参照して、フード６０とホルダ７０とによって、オプションＯＰを保持する例を説明する。
【００８２】
ここで、図１０は、フード６０の第１挟持部６２ｄとホルダ７０の第２挟持部７３ａとの間でオプションＯＰの周端部Ｐを挟持するようすを説明する断面図である。
【００８３】
オプションＯＰとしては、保護ガラスＧ、フィルタＦ、及びシャープナー（ルーバーの一種）ＳＨを使用している。このうち、保護ガラスＧは、照明器具１を使用する国によっては、装着が法令等によって義務づけられている国がある。保護ガラスＧ及びフィルタＦは、ほぼ円盤状に形成されていて、少なくとも周端部Ｐにおいては、下面Ｐ１及び上面Ｐ２が相互に平行な平面状に形成されている。そして、周端部Ｐは、下面Ｐ１及び上面Ｐ２が、それぞれフード６０の第１挟持部６２ｄ、及びホルダ７０の第２挟持部７３ａによって挟持される。また、シャープナーＳＨ（図１２（Ｃ）参照）は、中央に円筒状のルーバー部Ｐ３を有していて、この下端から放射状に外側に向かって延びる複数のアームＰ４の外端に環状の周端部Ｐが接続されている。この周端部Ｐは、上述の保護ガラスＧ及びフィルタＦの周端部Ｐと同様に、相互に平行な下面Ｐ１及び上面Ｐ２を有している。なお、オプションＯＰとしての保護ガラスＧとフィルタＦのそれぞれの周端部Ｐの厚さ（下面Ｐ１と上面Ｐ２との距離）は同じであり、シャープナーＳＨの周端部Ｐの厚さは、保護ガラスＧ及びフィルタＦの周端部Ｐの厚さの２倍であるものとする。
【００８４】
図１１（Ａ）は、保護ガラスＧ、フィルタＦ、及びシャープナーＳＨのいずれも装着されていない場合を示す。この場合、フード６０側のめねじ部６２ａに、ホルダ７０側のおねじ部７２ａを可能な限りねじ込むことにより、フード６０側の第１挟持部６２ｄに、ホルダ７０側の第２挟持部７３ａが当接している。
【００８５】
図１１（Ｂ）は、保護ガラスＧが１枚装着された場合を示す。保護ガラスＧを装着する場合には、その他のオプションＯＰの装着の有無にかかわらず、保護ガラスＧは、まず、フード６０のリング溝６２ｃに、例えばＣ形のスナップリング（止め輪）Ｒを係合させることにより、保護ガラスＧを第１挟持部６２ｄ上に固定する。その後、めねじ部６２ａにおねじ部７２ａをねじ込んで、第１挟持部６２ｄと第２挟持部７３ａとの間で、保護ガラスＧの周端部Ｐを挟持する。上述のように、保護ガラスＧの装着が必須である場合、第１挟持部６２ｄと第２挟持部７３ａとの挟持のみでは、ホルダ７０をフード６０から取り外すと、保護ガラスＧも比較的容易に取り外すことができてしまう。これを防止するために、スナップリングＲでの固定も併用する。このとき、スナップリングＲが露出されたままであると、従来技術と同様、スナップリングＲで反射した反射光によって反射グレアが発生することがある。そこで、ホルダ７０で挟持することにより、ホルダ７０の下端の環状切欠７３ｃでスナップリングＲを覆うようにして、反射グレアを防止している。
【００８６】
なお、保護ガラスＧの装着が必須でない場合には、保護ガラスＧを他のフィルタＦやシャープナーＳＨと同様に、スナップリングＲを使用せずに、第１挟持部６２ｄと第２挟持部７３ａとの挟持のみとすることも可能である。
【００８７】
図１１（Ｃ）は、フィルタＦが１枚装着された場合を示す。この場合、第１挟持部６２ｄと第２挟持部７３ａとによって、フィルタＦの周端部Ｐを挟持する。
【００８８】
図１１（Ｄ）は、保護ガラスＧが１枚、フィルタＦが１枚装着された場合を示す。この場合、上述の図１１（Ｂ）に示すようにして、保護ガラスＧを、スナップリングＲを使用して装着した後、保護ガラスＧの上にフィルタＦを重ね、保護ガラスＧの周端部ＰとフィルタＦの周端部Ｐとをまとめて、第１挟持部６２ｄと第２挟持部７３ａとの間で挟持する。
【００８９】
なお、このとき、上に重ねるフィルタＦの周端部Ｐの下面Ｐ１の外周側には、上述のホルダ７０の環状切欠７３ｃと同様の環状切欠を形成しておくとよい。これにより、フィルタＦの周端部ＰがスナップリングＲに干渉することを防止しつつ、さらに、スナップリングＲを覆って、スナップリングＲによる反射グレアを防止することができる。
【００９０】
図１２（Ａ）は、フィルタＦが２枚装着されている場合を示す。フィルタＦを２枚重ね合わせ、それぞれの周端部Ｐをまとめて、第１挟持部６２ｄと第２挟持部７３ａとによって挟持する。
【００９１】
図１２（Ｂ）は、保護ガラスＧが１枚、フィルタＦが２枚装着された場合を示す。この場合、まず、上述の図１１（Ｂ）に示すようにして、保護ガラスＧを、スナップリングＲを使用して装着する。その後、保護ガラスＧの上に２枚のフィルタＦを重ね、保護ガラスＧの周端部Ｐと２枚のフィルタＦの周端部Ｐとをまとめて、第１挟持部６２ｄと第２挟持部７３ａとの間で挟持する。
【００９２】
図１２（Ｃ）は、シャープナーＳＨが１個装着された場合を示す。この場合、第１挟持部６２ｄと第２挟持部７３ａとによって、上述のフィルタＦを１枚装着する場合と同様にして、シャープナーＳＨの周端部Ｐを挟持する。
【００９３】
図１２（Ｄ）は保護ガラスＧが１枚、シャープナーＳＨが１個装着された場合を示す。この場合、上述の図１１（Ｂ）に示すようにして、保護ガラスＧを、スナップリングＲを使用して装着した後、保護ガラスＧの上にシャープナーＳＨを重ね、保護ガラスＧの周端部ＰとシャープナーＳＨの周端部Ｐとをまとめて、第１挟持部６２ｄと第２挟持部７３ａとの間で挟持する。
【００９４】
なお、このとき、上に重ねるシャープナーＳＨの周端部Ｐの下面Ｐ１の外周側には、上述のホルダ７０の環状切欠７３ｃと同様の環状切欠を形成しておくとよい。これにより、シャープナーＳＨの周端部ＰがスナップリングＲに干渉することを防止しつつ、さらに、スナップリングＲを覆って、スナップリングＲによる反射グレアを防止するようにしている。
【００９５】
以上説明したオプション保持構造ＯＳ１、照明器具１の作用、効果を整理する。
【００９６】
・オプション保持構造ＯＳ１は、光源２０からの光を反射するリフレクター４０の光出射口４０ｃの近傍に着脱されるオプションＯＰを保持する。このオプション保持構造ＯＳ１は、オプションＯＰの周端部Ｐにおける下面Ｐ１に当接する第１挟持部６２ｄと、外周面におねじ部７２ａを有する円筒状に形成されるとともに、端部に第１挟持部６２ｄとの間でオプションＯＰの周端部Ｐを挟持し得る第２挟持部７３ａを有するホルダ７０と、おねじ部７２ａが螺合するめねじ部６２ａと、を備える。さらに、オプション保持構造ＯＳ１のうち、めねじ部６２ａ及び第１挟持部６２ｄは、双方ともリフレクター４０の光出射口４０ｃに取り付けられる筒状のフード６０に形成されている。
【００９７】
このように、オプション保持構造ＯＳ１は、第１挟持部６２ｄとホルダ７０の第２挟持部７３ａとの間でオプションＯＰを挟持することにより、スナップリングを使用する場合と異なり、光がスナップリングで反射されることで発生する反射グレアを防止することができる。
【００９８】
また、スナップリングを使用する場合には、フード６０の内周面ｂにこのスナップリングが係合される環状のリング溝を設ける必要があるため、このリング溝の位置によってオプションＯＰの周端部Ｐの厚さが制約を受ける。逆にいうと、オプションＯＰの周端部Ｐの厚さによって、リング溝の位置が決まってしまう。このため、スナップリングを使用する場合には、周端部Ｐの厚さが異なるオプションＯＰ、あるいは複数のオプションＯＰを重ねて保持することが困難である。これに対し、本実施形態のオプション保持構造ＯＳ１は、フード６０のめねじ部６２ａに対するホルダ７０のおねじ部７２ａのねじ込み量を任意に調整することが可能であるので、周端部Ｐの厚さが異なるオプションＯＰ、あるいは複数のオプションＯＰを重ねて保持することができる。
【００９９】
さらに、めねじ部６２ａ及びおねじ部７２ａが双方ともフード６０に形成されているので、例えば、ボディ３０に対してフード（図１４参照）を着脱可能に構成すれば、オプションＯＰの種類や枚数を変更したいときに、オプションＯＰを簡単に交換することができる。
【０１００】
・オプション保持構造ＯＳ１は、第２挟持部７３ａが第１挟持部６２ｄとの間でオプションＯＰの周端部Ｐを挟持する場合、及び第２挟持部７３ａが第１挟持部６２ｄとの間でオプションＯＰの周端部Ｐを挟持しないで第１挟持部６２ｄに当接される場合の、双方の場合について、ホルダ７０はフード６０のめねじ部６２ａを覆う。つまり、ホルダ７０は、オプションＯＰの装着の有無にかかわらず、フード６０のめねじ部６２ａを覆うことになる。
【０１０１】
これにより、ホルダ７０は、オプションＯＰの装着の有無にかかわらず、光源２０あるいはリフレクター４０からの光がめねじ部６２ａに当たることを防止して、めねじ部６２ａによる反射グレアを防止することができる。
【０１０２】
・ホルダ７０は、下部７３の外周面ｄ３（おねじ部７２ａと第２挟持部７３ａとの間に位置する部分）の外径ｄｍが、めねじ部６２ａの内径ｄｎよりも小さく形成されている。
【０１０３】
これにより、ホルダ７０は、めねじ部６２ａに対するおねじ部７２ａの螺合を開始する前に、その外径ｄｍが小さく形成されている部分をめねじ部６２ａの内側にほぼ直線的に挿入して、その分、速やかに第２挟持部７３ａをオプションＯＰの周端部Ｐの上面（他方の面）Ｐ２に近づけることができる。すなわち、第２挟持部７３ａを周端部Ｐの上面Ｐ２に近づける動作を、めねじ部６２ａにおねじ部７２ａを螺合させる動作から、挿入動作に変更することができるので、その分、第２挟持部７３ａによる挟持開始までの時間を短縮することができる。
【０１０４】
・ホルダ７０は、内周面ｃにローレット加工部７０ａを有している。
【０１０５】
これにより、ホルダ７０は、内周面ｃの反射グレアを低減することができる。
【０１０６】
・照明器具１は、光源２０と、光源２０からの光を反射させて光出射口４０ｃから出射するリフレクター４０と、オプション保持構造ＯＳ１とを備えている。
【０１０７】
これにより、照明器具１は、全体として、上述のオプション保持構造ＯＳ１の効果を奏することができる。
【０１０８】
＜実施形態２＞
図１４を参照して、本発明を適用した実施形態２に係るオプション保持構造ＯＳ２、及びこれを備えた照明器具２について説明する。
【０１０９】
ここで、図１４（Ａ）は実施形態２の照明器具２を、中心軸Ｃ１を通る平面で切った断面図であり、（Ｂ）はオプション保持構造ＯＳ２を説明する、（Ａ）中の部分Ｂの拡大図である。
【０１１０】
照明器具２は、ソケット１０Ａ、光源２０Ａ、ボディ３０Ａ、リフレクター４０Ａ、及びコーン８０を備えている。
【０１１１】
ソケット１０Ａ及び光源２０Ａについては、特に制約はなく、任意のものを使用することができる。
【０１１２】
ボディ３０Ａは、それぞれほぼ円筒状に形成された内筒部３１、外筒部３２、及びこれらの間に放射状に多数配設された放熱フィン３３を有していて、ソケット１０Ａの下端に取り付けられている。内筒部３１の内周面（ボディ３０Ａの内周面には、めねじ部６２ａが形成されている。また、内筒部３１の下端（ボディ３０Ａの下端）には、第１挟持部６２ｄが設けられている。第１挟持部６２ｄは、内筒部３１の下端の全周にわたって内側に突出するように形成されている。
【０１１３】
リフレクター４０Ａは、ほぼ回転楕円体状に形成されている。リフレクター４０Ａは、内面に反射面４０ａが形成されている。また、上端の開口部は、光源２０Ａからの光が入射される光入射口４０ｂ、下端の開口部は、光が出射される光出射口４０ｃとなっている。
【０１１４】
ホルダ７０は、上述の実施形態１のホルダ７０と同じである。すなわち、ホルダ７０は、ほぼ円筒状に形成されていて、内周面にはローレット加工部７０ａを有し、また、外周面にはおねじ部７２ａが形成（螺刻）されている。さらに、ホルダ７０の下端には、第２挟持部７３ａが形成されている。ホルダ７０は、おねじ部７２ａを、ボディ３０Ａのめねじ部６２ａに螺合させることで、リフレクター４０Ａの光出射口４０ｃ近傍に配設されている。なお、ローレット加工部７０ａを有するホルダ７０に代えて、図１３に示す、ローレット加工部７０ａ´を有するホルダ７０Ａを使用してもよい。
【０１１５】
コーン８０は、下方に向けて広がった円錐台状に形成されている。コーン８０は、環状のパッキン８１を介して、内筒部３１の下端（ボディ３０Ａの下端）に取り付けられている。
【０１１６】
オプションＯＰとしては、図１４に示す例では、ほぼ円板状のレンズを使用している。
【０１１７】
オプションＯＰは、内筒部３１のめねじ部６２ａにホルダ７０のおねじ部７２ａを螺合させることにより、周端部Ｐの下面Ｐ１及び上面Ｐ２がそれぞれ第１挟持部６２ｄ及び第２挟持７３ａに押圧されて挟持されるようになっている。これにより、オプションＯＰは、リフレクター４０Ａの光出射口４０ｃの下方近傍に、光出射口４０ｃを覆うように保持されている。
【０１１８】
オプション保持構造ＯＳ２は、第１挟持部６２ｄと、外周面におねじ部７２ａを有し、端部に第２挟持部７３ａを有するホルダ７０と、おねじ部７２ａが螺合するめねじ部６２ａとを備えている。
【０１１９】
上述の実施形態１のオプション保持構造ＯＳ１では、めねじ部６２ａ及び第１挟持部６２ｄは、双方ともフード６０に形成されている。これに対し、本実施形態のオプション保持構造ＯＳ２では、めねじ部６２ａ及び第１挟持部６２ｄは、双方ともフード６０ではなくボディ３０Ａに形成されている。
【０１２０】
これにより、オプション保持構造ＯＳ２は、実施形態１のオプション保持構造ＯＳ１の効果に加え、以下のような効果を奏することができる。
【０１２１】
オプション保持構造ＯＳ２は、例えば、ボディ３０Ａの下方にその他のパーツ（コーン８０やフード等）を装着したいときに、これらの他のパーツは、オプション保持構造ＯＳ２の構成や配置による制約が少ない。このため、例えば、円錐状のコーン等、円筒状以外のパーツを備えた照明器具を容易に構成することができる。
【０１２２】
＜実施形態３＞
図１５を参照して、本発明を適用した実施形態３に係るオプション保持構造ＯＳ３について説明する。
【０１２３】
ここで、図１５は、図１４（Ｂ）に相当する図である。
【０１２４】
オプション保持構造ＯＳ３は、第１挟持部６２ｄと、外周面におねじ部７２ａを有し、端部に第２挟持部７３ａを有するホルダ７０と、おねじ部７２ａが螺合するめねじ部６２ａとを備えている。
【０１２５】
上述の実施形態２のオプション保持構造ＯＳ２では、ボディ３０Ａの下端に形成されていた第１挟持部６２ｄが、本実施形態のオプション保持構造ＯＳ３では、ボディ３０Ｂではなく、コーン８０Ａの上端に形成されている。すなわち、実施形態２のオプション保持構造ＯＳ２では、めねじ部６２ａ及び第１挟持部６２ｄは、双方ともボディ３０Ａに形成されている。これに対し、本実施形態３のオプション保持構造ＯＳ３では、めねじ部６２ａはボディ３０Ａに形成され、また、第１挟持部６２ｄはボディ３０Ａとは別部材であるコーン８０Ａに形成されている。
【０１２６】
これにより、オプション保持構造ＯＳ３は、実施形態１のオプション保持構造ＯＳ１の効果に加え、以下のような効果を奏することができる。
【０１２７】
このように、オプション保持構造ＯＳ３は、めねじ部６２ａと第１挟持部６２ｄとをそれぞれ別の部材の形成した場合であっても、実施形態１のオプション保持構造ＯＳ１とほぼ同様の効果を奏することができる。さらに、オプション保持構造ＯＳ３は、第１挟持部をボディ３０Ｂではなく、コーン８０Ａに形成することにより、コーン８０Ａと比較して構造が複雑になりがちなボディ３０Ｂの構造を簡略化してその製造を容易にすることができる。
【符号の説明】
【０１２８】
１，２  照明器具
２０、２０Ａ    光源
３０，３０Ａ，３０Ｂ    ボディ
４０、４０Ａ    リフレクター
４０ｃ  光出射口
６０    フード
６２ａ  めねじ部
６２ｄ  第１挟持部
７０    ホルダ（オプションホルダ）
７０ａ  ローレット加工部
７２ａ  おねじ部
７３    下部（おねじ部と第２挟持部との間に位置する部分）
７３ａ  第２挟持部
８０，８０Ａ    コーン
ａ      フード本体の外周面
ｂ      フード本体の内周面
ｂ２    中間部の内周面
ｃ      ホルダの内周面
ｄ      ホルダの外周面
ｄ２    中間部の外周面
ｄ３    下部の外周面
ｄｍ    下部（おねじ部と第２挟持部との間に位置する部分）の外径
ｄｎ    めねじ部の内径
ＯＰ    オプション
ＯＳ１  実施形態１のオプション保持構造
ＯＳ２  実施形態２のオプション保持構造
ＯＳ３  実施形態３のオプション保持構造
Ｐ      オプションの周端部
Ｐ１    周端部の下面（一方の面）
Ｐ２    周端部の上面（他方の面）
【図１】
0006792346.tif 000002
【図２】
0006792346.tif 000003
【図３】
0006792346.tif 000004
【図４】
0006792346.tif 000005
【図５】
0006792346.tif 000006
【図６】
0006792346.tif 000007
【図７】
0006792346.tif 000008
【図８】
0006792346.tif 000009
【図９】
0006792346.tif 000010
【図１０】
0006792346.tif 000011
【図１１】
0006792346.tif 000012
【図１２】
0006792346.tif 000013
【図１３】
0006792346.tif 000014
【図１４】
0006792346.tif 000015
【図１５】
0006792346.tif 000016